(57)【要約】【課題】長時間に亘って患者が装着する排泄介護具に適用され、勃起に伴う鬱血を防止しつつ陰茎の尿道口の適正な方向を維持する。【解決手段】陰茎固定具2,100,110,120は、陰茎を受け入れる中空筒状の且つ患者側端4aから先端4bに向けて前下がりの形状を有する本体4と、本体4に設けられ、成型品である排泄介護具200,210,226の開口部又は患者の身体に係止することのできる係止部12とを含み、本体4が、患者の勃起に伴う陰茎の径方向の拡大に応答して該本体4の径方向の拡張を容易にするためのスリット(10)又は断面波形(122a)の形状部分10,122aを備えた成型品である。【選択図】図１
2019080617.tif 000002
【特許請求の範囲】
【請求項１】
患者の陰茎を受け入れるために両端が開口した中空筒状の本体(4)であって、患者側端(4a)から先端(4b)に向けて前下がりの形状を有する本体(4)と、
該本体(4)に設けられ、成型品である排泄介護具(200,210,226)の開口部又は患者の身体に係止することのできる係止部(12)とを含み、
前記本体(4)が、患者の勃起に伴う陰茎の径方向の拡大に応答して該本体(4)の径方向の拡張を容易にするためのスリット(10)又は断面波形(122a)の形状部分を備えた成型品であることを特徴とする陰茎固定具。
【請求項２】
前記本体(4)が、側面視したときに、前方に凸の湾曲した形状を有する、請求項１に記載の陰茎固定具。
【請求項３】
前記スリット(10)が、前記患者側端(4a)に開放して該患者側端(4a)から先端(4b)に向けて前記本体(4)の長手方向に延びている、請求項１又は２に記載の陰茎固定具。
【請求項４】
前記本体(4)の側面に複数の通気孔(6)を更に有する、請求項１〜３のいずれか一項に記載の陰茎固定具。
【発明の詳細な説明】
【技術分野】
【０００１】
本発明は、一般的に、下肢機能障害など歩行不能な患者や自力でトイレに行くことのできない人、頻尿者など（以下、「患者」と総称する。）に適用される介護具であり、より詳しくは、長時間に亘って患者が装着する排泄介護具に適用可能な陰茎固定具に関する。
【背景技術】
【０００２】
特許文献１は、患者に適用される男性用尿瓶を開示している。この尿瓶は、一般的な睡眠時間である８時間分の尿を貯留することができる容量を有している。尿瓶との組み合わせで陰茎固定リングが用いられる。陰茎固定リングは、海綿、ウレタンスポンジなどの弾性素材から作られている。陰茎固定リングの貫通孔は、弛緩時の陰茎の平均的な直径よりも若干大きな直径を有している。この陰茎固定リングには、好ましくは切り込みが入れられており、この切り込みを通じて陰茎を固定リングに装着する又は固定リングから陰茎を離脱させるのが容易である。固定リングを陰茎根に装着した後、固定リングを圧縮して尿瓶の陰茎挿入口に挿入する。これにより、陰茎は固定リングによって尿瓶に固定された状態となるため陰茎が尿瓶から不用意に脱出し難くなる。
【０００３】
特許文献２は自動排泄処理装置を開示している。自動排泄処理装置は、患者の排泄物を受け止めて吸引する機構と、肛門や陰部を洗浄し、そして乾燥させる機構とを有している。排泄物を受け止めて吸引する機構は、その主要な構成部材として排泄物受け具を含む。排泄物受け具は、装着具として設計されたオシメに組み付けられて患者の股間に位置決めされる。排泄物受け具は、尿と大便とを受けるための成型品であり、陰部から肛門まで延びる縦長の且つ側面視したときに湾曲した形状部分を含んでいる。
【０００４】
特許文献３は、自動排泄処理装置に含まれる排泄物受け具を幾つかの部材で構成し、各部材を分離可能にした排泄物受けユニットを提案している。排泄物受けユニットは、大便を受けるトレー状の便受け部分と、便受け部分の一端から起立して尿を受ける尿受け部分とが一体的に成形された主要部品を有している。尿受け部分は、患者から離れる方向に膨らみを有するカップ状の形状を有し、その上端が上方に向けて開放されている。排泄物受けユニットは、上記の主要部品に対して２つの部材が脱着可能である。第１の脱着可能部材は、尿受け部分の上端開口に対して脱着可能な屋根部材である。第２の脱着可能部材は、尿受け部分の起立する側縁に対して装着可能であり、主要部品の便受け部分の上に設置されて患者の臀部を受ける部材である。
【先行技術文献】
【特許文献】
【０００５】
【特許文献１】ＷＯ２００３/０６８１２７号公報
【特許文献２】特開２００６−５５５１３号公報
【特許文献３】特開２０１３−２０８３７９号公報
【発明の概要】
【発明が解決しようとする課題】
【０００６】
患者であっても、夜間などに無意識に勃起することが知られている。特許文献１に開示の尿瓶を装着した患者が勃起すると、陰茎が鬱血して外科的処置が必要なほどダメージを与えてしまう虞がある。動脈血と静脈血の圧力には差があり、静脈血の圧力は動脈血の圧力に比べて低い。固定リングを介して尿瓶の陰茎挿入口に陰茎が固定された状態で勃起すると、陰茎根が固定リングを介して陰茎挿入口によって圧迫された状態となる。陰茎根が圧迫されても動脈血は陰茎亀頭に送られるものの静脈血は停止した状態となり、これにより陰茎が鬱血してしまう可能性がある。
【０００７】
特許文献２、３に開示の排泄物受け具を装着した患者が勃起すると尿道口の方向が不適切になり、排尿時に排泄物受け具から尿が外に漏れてしまう可能性がある。
【０００８】
そこで、本発明の目的は、長時間に亘って患者が装着する排泄介護具に適用され、勃起に伴う鬱血を防止しつつ陰茎の尿道口の適正な方向を維持することのできる陰茎固定具を提供することにある。
【課題を解決するための手段】
【０００９】
上記の技術的課題を達成すべく、本発明にあっては、
患者の陰茎を受け入れるために両端が開口した中空筒状の本体(4)であって、患者側端(4a)から先端(4b)に向けて前下がりの形状を有する本体(4)と、
該本体(4)に設けられ、成型品である排泄介護具(200,210,226)の開口部又は患者の身体に係止することのできる係止部(12)とを含み、
前記本体(4)が、患者の勃起に伴う陰茎の径方向の拡大に応答して該本体(4)の径方向の拡張を容易にするためのスリット(10)又は断面波形(122a)の形状部分を備えた成型品であることを特徴とする陰茎固定具を提供することにより達成される。
【００１０】
本発明の作用効果及び他の目的は、本発明の好ましい実施例の詳細な説明から明らかになろう。
【図面の簡単な説明】
【００１１】
【図１】実施例の陰茎固定具の斜視図である。
【図２】実施例の陰茎固定具の側面図である。
【図３】図１のIII−III線に沿った断面図である。
【図４】図１のIV−IV線に沿った断面図である。
【図５】第１変形例の陰茎固定具の斜視図である。
【図６】第２変形例の陰茎固定具の斜視図である。
【図７】第３変形例の陰茎固定具の斜視図である。
【図８】実施例の陰茎固定具を尿瓶に適用した例を説明するための図である。
【図９】実施例の陰茎固定具を採尿器に適用した例を説明するための図である。
【図１０】自動排泄物処理装置に含まれる排泄物受け部材に実施例の陰茎固定具を適用した例を示す図であり、陰茎固定具を排泄物受け部材に取り付ける直前の状態を示す。
【図１１】図１０と同様に、自動排泄物処理装置に含まれる排泄物受け部材に実施例の陰茎固定具を適用した例を示す図であり、陰茎固定具を排泄物受け部材に取り付けた後の状態を示す。
【図１２】自動排泄物処理装置に含まれる排泄物受け部材に実施例の陰茎固定具を適用した例を使って、陰茎固定具を排泄物受け部材に固定するための構造の第１の例を説明するための図である。
【図１３】自動排泄物処理装置に含まれる排泄物受け部材に実施例の陰茎固定具を適用した例を使って、陰茎固定具を排泄物受け部材に固定するための構造の第２の例を説明するための図である。
【図１４】自動排泄物処理装置に含まれる排泄物受け部材に実施例の陰茎固定具を適用した例を使って、陰茎固定具を排泄物受け部材に固定するための構造の第３の例を説明するための図である。
【図１５】自動排泄物処理装置に含まれる排泄物受け部材に実施例の陰茎固定具を適用した例を使って、陰茎固定具を排泄物受け部材に固定するための構造の第４の例を説明するための図である。
【図１６】自動排泄物処理装置に含まれる排泄物受け部材に実施例の陰茎固定具を適用した例を使って、陰茎固定具を排泄物受け部材に固定するための構造の第５の例を説明するための図である。
【図１７】自動排泄物処理装置に含まれる排泄物受け部材に実施例の陰茎固定具を適用した例を使って、陰茎固定具を排泄物受け部材に固定するための構造の第６の例を説明するための図である。
【図１８】自動排泄物処理装置に含まれる排泄物受け部材に実施例の陰茎固定具を適用した例を使って、陰茎固定具を排泄物受け部材に固定するための構造の第７の例を説明するための図である。
【図１９】自動排泄物処理装置に含まれる排泄物受け部材に実施例の陰茎固定具を適用した例を使って、陰茎固定具を排泄物受け部材に固定するための構造の第８の例を説明するための図である。
【図２０】自動排泄物処理装置に含まれる排泄物受け部材に実施例の陰茎固定具を適用した例を使って、陰茎固定具を排泄物受け部材に固定するための構造の第９の例を説明するための図である。
【発明を実施するための形態】
【実施例】
【００１２】
以下に、添付の図面に基づいて本発明の好ましい実施例を説明する。
【００１３】
図１〜図４は実施例の陰茎固定具を示す図である。図１は斜視図であり、図２は側面図である。図３は、図１のIII−III線に沿って切断した断面図である。図４は、図１のIV−IV線に沿って切断した断面図である。
【００１４】
図１、図２を参照して、実施例の陰茎固定具２は筒状の本体４を有する。本体４は、その患者側端４a及び先端４bが共に開口した中空の筒状の形状、典型的には略円筒状の形状を有している（図３、図４）。本体４の直径は、弛緩時の陰茎の平均直径よりも若干大きな寸法に設定されており、本体４の中に陰茎を陰茎根まで挿入することができる。図２の矢印Ａは陰茎の挿入方向を示す。
【００１５】
図２を参照すると直ちに理解できるように、陰茎固定具２の本体４は、側面視したときに、前下がりの形状を有し、好ましくは、前方に凸の湾曲した形状を有する。本体４の長手方向長さは、平均的な陰茎の長さと同じであってもよいが、好ましくは、それよりも短くて陰茎亀頭が露出できる長さであるのがよい。陰茎固定具２は合成樹脂の成型品であり、例えばシリコーン樹脂のように適度な弾性及び保形性を有していれば、その材料は任意に選択できる。
【００１６】
本体４は、その側面の全域に複数の通気孔６を有している。本体４は、その長手方向に延びるスリット１０を有している（図１、図３）。スリット１０は、本体４の患者側端４aに開放しており、患者側端４aから先端４bに向けて本体４の長手方向中間部分まで延びている。好ましくは、図示のように本体４の上面にスリット１０を設けるのがよい。スリット１０を備えた本体４は、勃起に伴う陰茎の径方向の拡大に応答して容易に弾性変形して径方向に拡張することができる。すなわち、スリット１０は、本体４が勃起時に径方向に拡大するのを容易にするための「形状部分」を構成する。
【００１７】
図１を参照して、陰茎固定具２は一対の係止部１２を有している。一対の係止部１２は患者側端４aの左右の側の互いに対抗した位置に配置されている。各係止部１２は、一旦径方向外方に延びた後に先端４bに向けて折れ曲がったフックの形状を有している。陰茎固定具２は、係止部１２を使って後に説明するように排泄介護具に組み付けられる。
【００１８】
図５〜図７は、陰茎固定具２の複数の変形例を示す。これらの変形例の説明において、上述した実施例に含まれる要素と同じ要素には同じ参照符号を付すことにより、適宜、その説明を省略して、各変形例の特徴部分を説明する。
【００１９】
図５は、第１変形例の陰茎固定具１００を示す。陰茎固定具１００は、スリット１０として２本のスリット１０(1)、１０(2)を有している。２本のスリット１０(1)、１０(2)は互いに並行に配列されている。スリット１０の本数は任意である。複数のスリット１０(1)、１０(2)を備えた陰茎固定具１００の本体１０２は、勃起に伴う陰茎の径方向の拡大に一層良好に応答して径方向に拡張することができる。
【００２０】
図６は、第２変形例の陰茎固定具１１０を示す。陰茎固定具１１０の基本的な構成は上記の第１実施例（図１）と同じであるが、第１実施例に含まれるスリット１０が先端４bまで延長されている。この第２変形例の陰茎固定具１１０に含まれるスリットに参照符号１１２を付して図示してある。すなわち、図６から直ちに理解できるように、スリット１１２は本体４の患者側端４aと先端４bとに開放している。これにより、本体４は、勃起に伴う陰茎の径方向の拡大に応答して、その長手方向の全体が容易に径方向に拡張することができる。
【００２１】
図７は、第３変形例の陰茎固定具１２０を示す。陰茎固定具１２０の基本的な構成は上記の第１実施例（図１）と同じであるが、第１実施例に含まれる本体４とは断面形状が異なる本体１２２を有している。図７を参照して、本体１２２の基本形態は略円形であるが、波形の断面形状を有している。なお、第１実施例などに含まれるスリット１０は、この第３変形例では省かれているが、必要であればスリット１０を設けてもよい。本体１２２の断面波形１２２aは、本体１２２が勃起時に径方向に拡大するのを容易にするための「形状部分」を構成する。波形の断面を備えた本体１２２は、勃起に伴う陰茎の径方向の拡大に応答して容易に弾性変形して、径方向に拡張することができる。
【００２２】
図８〜図１１は、上述した陰茎固定具２、１００、１１０、１２０の適用例を説明するための図である。これらの図において、陰茎固定具２が典型例として図示されているが、上述した変形例の陰茎固定具１００、１１０、１２０についても同様に適用可能であるのは言うまでもない。
【００２３】
図８は、尿瓶２００に陰茎固定具２を適用した例を示す。尿瓶２００は、周知のように、ガラスや合成樹脂などの成型品である。尿瓶２００の陰茎挿入口２０２に陰茎固定具２が配置され、陰茎固定具２の一対の係止部１２を陰茎挿入口２０２の開口縁に嵌め込むことにより陰茎固定具２を尿瓶２００に対して固定することができる。
【００２４】
図９は、採尿器２１０に陰茎固定具２を適用した例を示す。採尿器２１０は、可撓性チューブ２１２を介して尿瓶２００に連結されている。採尿器２１０は一般的には合成樹脂からなる成型品である。採尿器２１０の陰茎挿入口２１４に陰茎固定具２が配置され、陰茎固定具２の一対の係止部１２を陰茎挿入口２１４の開口縁に嵌め込むことにより陰茎固定具２を採尿器２１０に対して固定することができる。
【００２５】
図１０、図１１は、自動排泄物処理装置に含まれる排泄物受け部材２２０に陰茎固定具２を適用した例を示す。排泄物受け部材２２０は、排泄物吸引ホースなどを含む可撓性連結部材２２２によって処理装置本体（図示せず）に連結される。また、排泄物受け部材２２０は、装着具としてのオシメ（図示せず）によって患者の下半身に位置決めされる。
【００２６】
図示の排泄物受け部材２２０は、大便を受ける便受け部材２２４と、小便を受ける尿受け部材２２６とを含んでいる。便受け部材２２４及び尿受け部材２２６は共に合成樹脂製の成型品であり、保形性を有している。便受け部材２２４の前端部２２４aには、排泄物を吸引する吸引口、肛門に向けて洗浄水を吐出する第１吐出孔、陰部に向けて洗浄水を吐出する第２吐出孔などが形成されている。この前端部２２４aは上方に向けて開放しており、この前端部２２４aの上端に尿受け部材２２６が脱着可能に連結される。便受け部材２２４は横方向に広がるフランジ２２４bを有し、このフランジ２２４bによって患者の臀部が受け止められる。
【００２７】
図示の尿受け部材２２６は男性用であり、これとは別に女性用の尿受け部材（図示せず）が用意され、患者の性別によって使い分けが可能である。男性用の尿受け部材２２６は、患者の陰嚢を受け入れる部分２２６aが他の部位に比べて幅広である。
【００２８】
図１０は、尿受け部材２２６に陰茎固定具２を装着する直前の状態を示し、図１１は、陰茎固定具２を尿受け部材２２６に装着した後の状態を示す。尿受け部材２２６の両側壁の縁部に陰茎固定具２の一対のフック状の係止部１２を嵌合することにより、陰茎固定具２を尿受け部材２２６の任意の箇所に脱着可能に固定することができる。
【００２９】
上記の便受け部材２２４、尿受け部材２２６が一体的に作られた排泄受け部材が従来から知られているが、この従来の排泄受け部材に対しても陰茎固定具２を適用できるのは言うまでもない。
【００３０】
図８〜図１１を参照して説明した適用例、つまり尿瓶２００、採尿器２１０、排泄物処理装置の排泄物受け部材２２０（尿受け部材２２６）は、適用可能な排泄介護具の例示であり、これに限定されない。本発明に従う陰茎固定具を排泄介護具に固定する方法や構造を、図１２〜図２０を参照して説明する。なお、図１２〜図２０において、上述した尿受け部材２２６及び実施例の陰茎固定具２を例示的に図示してある。
【００３１】
図１２は、係止部１２が爪３００を含み、尿受け部材２２６の開口フランジ３０２に爪３００を係合させることにより、陰茎固定具２を尿受け部材２２６に対して確実に固定させる例を示す。
【００３２】
図１３は、係止部１２として、ピン３１０とこれを受け入れるピン孔３１２との組み合わせを更に有し、陰茎固定具２を尿受け部材２２６に対して確実に固定させる例を示す。
【００３３】
図１４は、係止部１２が両面接着テープ、磁石などの接着自在な結合手段３２０を含み、この結合手段３２０を使って陰茎固定具２を尿受け部材２２６にしっかりと固定させる例を示す。
【００３４】
図１５は、ピン３２４と、これを受け入れるために尿受け部材２２６に形成したピン孔３２６との組み合わせを更に有し、このピン３２４とピン孔３２６との組み合わせで、陰茎固定具２を尿受け部材２２６に対して確実に固定させる例を示す。
【００３５】
図１６は、陰茎固定具２の係止部１２として、陰茎固定具２と尿受け部材２２６の開口縁部とに設けられた互いに整合する孔３３０を含み、この整合孔３３０にナットとネジとの組み合わせ３３２を挿入して、陰茎固定具２を尿受け部材２２６に対して確実に固定させる例を示す。
【００３６】
図１７は、陰茎固定具２の係止部１２として、バネ付勢されたクリップ３４０を採用し、このクリップ３４０を使って陰茎固定具２を尿受け部材２２６に固定させる例を示す。
【００３７】
図１８は、陰茎固定具２の係止部１２として、バネ性を備えた材料で作られたクリップ３５０を採用し、このクリップ３５０を使って陰茎固定具２を尿受け部材２２６に固定させる例を示す。
【００３８】
図１９は、陰茎固定具２の係止部１２がゴムバンド３５２を更に含み、このゴムバンド３５２で尿受け部材２２６を緊張状態で包囲して、陰茎固定具２を尿受け部材２２６にしっかりと固定させる例を示す。
【００３９】
図２０は、陰茎固定具２の係止部１２が、平面ファスナ３６０を備えた一対のバンド３６２を更に含み、この一対のバンド３６２で尿受け部材２２６を包囲して、陰茎固定具２を尿受け部材２２６にしっかりと固定させる例を示す。
【００４０】
以上、本発明の好ましい実施例及び典型的な適用例を説明した。本発明は、これらに限定されることなく、様々な変形や適用が可能である。例えば、陰茎固定具２を患者の身体に固定するために陰茎固定具２に例えばベルトなどの係止具を設け、このベルトを使って陰茎固定具２を患者の身体に係止させるようにしてもよい。
【符号の説明】
【００４１】
２  実施例の陰茎固定具
４  陰茎固定具の本体
４a   本体の患者側端
４b   本体の先端
６    通気孔
１０    スリット（「形状部分」）
１２    係止部
１００    第１変形例の陰茎固定具
１１０    第２変形例の陰茎固定具
１２０    第３変形例の陰茎固定具
１２２a    断面波形（「形状部分」）
【図１】
2019080617.tif 000003
【図２】
2019080617.tif 000004
【図３】
2019080617.tif 000005
【図４】
2019080617.tif 000006
【図５】
2019080617.tif 000007
【図６】
2019080617.tif 000008
【図７】
2019080617.tif 000009
【図８】
2019080617.tif 000010
【図９】
2019080617.tif 000011
【図１０】
2019080617.tif 000012
【図１１】
2019080617.tif 000013
【図１２】
2019080617.tif 000014
【図１３】
2019080617.tif 000015
【図１４】
2019080617.tif 000016
【図１５】
2019080617.tif 000017
【図１６】
2019080617.tif 000018
【図１７】
2019080617.tif 000019
【図１８】
2019080617.tif 000020
【図１９】
2019080617.tif 000021
【図２０】
2019080617.tif 000022